(57)【要約】【課題】画像をインタレース表示するにあたって、奇数行の画素と偶数行の画素とに対する駆動回数のバランスを改善してベタ表示においてもフリッカが発生しない電気光学装置の制御方法、電気光学装置、および電子機器を提供すること。【解決手段】電気光学装置１００では、複数の走査線３と複数のデータ線６との交差に対応して複数の画素１１が配列されており、インタレース制御部５０からの制御により、複数の走査線３のうち、奇数本目の走査線３を駆動する奇数フィールドと、偶数本目の走査線３を駆動する偶数フィールドとを交互に行なって画像を表示する。インタレース制御部５０において、フィールド選択部５３は、奇数フィールドが実行された奇数フィールドの累積実行回数と偶数フィールドが実行された偶数フィールドの累積実行回数との差を圧縮するように、画像表示を開始する際のフィールド、あるいは画像表示を終了する際のフィールドを選択する。【選択図】図１
2009175212.tif 000002
【特許請求の範囲】
【請求項１】
互いに交差する方向に延在する複数の走査線と複数のデータ線との交差に対応して複数の画素が配列された画像表示部において、前記複数の走査線のうち、奇数本目の走査線を順次駆動する奇数フィールドと、偶数本目の走査線を順次駆動する偶数フィールドとを交互に行なって画像をインタレース表示する電気光学装置の制御方法において、
前記奇数フィールドの累積実行回数と前記偶数フィールドの累積実行回数との差を圧縮するように、画像表示を開始する際のフィールドを前記奇数フィールドと前記偶数フィールドとの間で切り換えることを特徴とする電気光学装置の制御方法。
【請求項２】
画像表示を終了した際、前記奇数フィールドおよび前記偶数フィールドのうち、いずれのフィールドで終了したかを記憶しておき、
前回の画像表示の際、前記奇数フィールドで終了したときは、今回の画像表示を前記偶数フィールドから開始し、
前回の画像表示の際、前記偶数フィールドで終了したときは、今回の画像表示を前記奇数フィールドから開始することを特徴とする請求項１に記載の電気光学装置の制御方法。
【請求項３】
前回の画像表示までの前記奇数フィールドの累積実行回数および前記偶数フィールドの累積実行回数を記憶しておき、
前記奇数フィールドの累積実行回数と前記偶数フィールドの累積実行回数との差が所定回数以上になったとき、今回あるいは今回以降の画像表示を、累積実行回数が少ない方のフィールドから開始することを特徴とする請求項１に記載の電気光学装置の制御方法。
【請求項４】
１回あるいは複数回の画像表示の度に、画像表示を開始する際のフィールドを前記奇数フィールドと前記偶数フィールドとの間で切り換えることを特徴とする請求項１に記載の電気光学装置の制御方法。
【請求項５】
画像表示を終了した際、前記奇数フィールドおよび前記偶数フィールドのうち、いずれのフィールドの何本目の走査線に対する駆動で終了したかを記憶しておき、
今回の画像表示を行なう際、前記走査線に対する駆動を、前回の画像表示で終了した走査線の次の走査線に対する駆動から開始することを特徴とする請求項１に記載の電気光学装置の制御方法。
【請求項６】
互いに交差する方向に延在する複数の走査線と複数のデータ線との交差に対応して複数の画素が配列された画像表示部において、前記複数の走査線のうち、奇数本目の走査線を順次駆動する奇数フィールドと、偶数本目の走査線を順次駆動する偶数フィールドとを交互に行なって画像をインタレース表示する電気光学装置の制御方法において、
前記奇数フィールドおよび前記偶数フィールドのうち、画像表示を開始した際のフィールドとは反対のフィールドで画像表示を終了することを特徴とする電気光学装置の制御方法。
【請求項７】
請求項１乃至６の何れか一項に記載の制御方法が実施されることを特徴とする電気光学装置。
【請求項８】
互いに交差する方向に延在する複数の走査線と複数のデータ線との交差に対応して複数の画素が配列された画像表示部において、インタレース制御部からの制御により、前記複数の走査線のうち、奇数本目の走査線を駆動する奇数フィールドと、偶数本目の走査線を駆動する偶数フィールドとを交互に行なって画像をインタレース表示する電気光学装置において、
前記インタレース制御部は、前記奇数フィールドの累積実行回数と前記偶数フィールドの累積実行回数との差を圧縮するように、画像表示を開始する際のフィールド、あるいは画像表示を終了する際のフィールドを選択するフィールド選択部を備えていることを特徴とする電気光学装置。
【請求項９】
請求項７または８に記載の電気光学装置を備えていることを特徴とする電子機器。
【発明の詳細な説明】
【技術分野】
【０００１】
本発明は、液晶装置や有機エレクトロルミネッセンス（以下有機ＥＬという）装置などといった電気光学装置の制御方法、当該制御方法を採用した電気光学装置、および当該電気光学装置を備えた電子機器に関するものである。
【背景技術】
【０００２】
電気光学装置として代表的なものとしては、液晶装置や有機ＥＬ装置などが挙げられ、かかる電気光学装置は、互いに交差する方向に延在する複数の走査線と複数のデータ線との交差に対応する複数の画素が設けられている。
【０００３】
かかる電気光学装置において、画像をインタレース表示する場合には、図９（ａ）に示すように、複数の走査線のうち、奇数本目の走査線を順次駆動する奇数フィールドと、偶数本目の走査線を順次駆動する偶数フィールドとを交互に行なって画像を表示する。
【０００４】
かかるインタレース表示を行なう際に、奇数フィールドと偶数フィールドとの間に輝度差があると、フリッカ（ちらつき）が発生するという問題点があるため、液晶装置においては、配向膜や液晶の種類、駆動素子や駆動方法の改良が試みられている。例えば、隣接する画素に供給するデータ信号を補正してフリッカの発生を防止する方法が提案されている（特許文献１参照）。
【特許文献１】特開平０４−２９６１７３号公報
【発明の開示】
【発明が解決しようとする課題】
【０００５】
しかしながら、特許文献１に記載の方法を採用しても、ベタの画像を表示した際には信号補正の効果がないので、フリッカを防止することができないという問題点がある。
【０００６】
ここに、本願発明者は、画素を駆動した際のストレスが累積することに起因する微視的な劣化により輝度特性が画素毎に輝度特性がシフトするという新たな観点からフリッカ対策を検討し、フリッカを解消することを提案するものである。すなわち、本願発明者は、奇数フィールドから画像表示を開始した以降、図９（ｂ）に示すように、常に偶数フィールドで終了すれば、奇数番目の走査線に対応する画素（奇数行の画素）と、偶数番目の走査線に対応する画素（偶数行の画素）との間で駆動回数が均等であるため、奇数行の画素と偶数行の画素とでは微視的な劣化の度合いが等しく輝度特性に差が発生しないが、図９（ｃ）に示すように、画像表示が奇数フィールドで終了するという事態が頻繁に発生すると、奇数行の画素は、偶数行の画素より多く駆動されることになり、奇数行の画素では偶数行の画素に比して微視的な劣化度合いが大きくなる結果、輝度特性に差が発生し、フリッカが発生するという考えに到達した。かかる微視的な劣化とは、液晶装置において交流を採用した場合でも画素に印加されるＤＣ成分の累積ストレスなどに起因するものと考えられ、有機ＥＬ装置においては通電時間や電流レベルに起因する有機ＥＬ素子への熱ストレスの累積などに起因するものと考えられる。
【０００７】
以上の問題点に鑑みて、本発明の課題は、画像をインタレース表示するにあたって、奇数行の画素と偶数行の画素とに対する駆動回数のバランスを改善してベタ表示においてもフリッカが発生しない電気光学装置の制御方法、当該制御方法を採用した電気光学装置、および当該電気光学装置を備えた電子機器を提供することにある。
【課題を解決するための手段】
【０００８】
上記課題を解決するために、本発明では、互いに交差する方向に延在する複数の走査線と複数のデータ線との交差に対応して複数の画素が配列された画像表示部において、前記複数の走査線のうち、奇数本目の走査線を順次駆動する奇数フィールドと、偶数本目の走査線を順次駆動する偶数フィールドとを交互に行なって画像をインタレース表示する電気光学装置の制御方法において、前記奇数フィールドの累積実行回数と前記偶数フィールドの累積実行回数との差を圧縮するように、画像表示を開始する際のフィールドを前記奇数フィールドと前記偶数フィールドとの間で切り換えることを特徴とする。
【０００９】
本発明において、「画像表示」とは、外部操作などに基づいて走査線に対する駆動を開始した後、１乃至複数のフレームによって画像を表示し、しかる後に、外部操作などに基づいて走査線に対する駆動を停止するまでの一連の動作のことを意味する。
【００１０】
本発明では、画像をインタレース表示する際、開始するフィールドを奇数フィールドと偶数フィールドとの間で切り換え、奇数フィールドの累積実行回数と偶数フィールドの累積実行回数の差を圧縮する。このため、奇数番目の走査線に対応する画素（奇数行の画素）と、偶数番目の走査線に対応する画素（偶数行の画素）が駆動される回数が均等である。従って、奇数行の画素と偶数行の画素とでは微視的な劣化の度合いが等しいので、奇数行の画素と偶数行の画素との間に輝度特性の差が発生しない。それ故、画像をインタレース表示した場合において、ベタ表示を行なったときでもフリッカが発生しない。
【００１１】
本発明において、画像表示を終了した際、前記奇数フィールドおよび前記偶数フィールドのうち、いずれのフィールドで終了したかを記憶しておき、前回の画像表示の際、前記奇数フィールドで終了したときは、今回の画像表示を前記偶数フィールドから開始し、前回の画像表示の際、前記偶数フィールドで終了したときは、今回の画像表示を前記奇数フィールドから開始する構成を採用することができる。このように構成すると、奇数行の画素と偶数行の画素が駆動される回数が均等になるため、奇数行の画素と偶数行の画素とでは微視的な劣化の度合いが等しいので、奇数行の画素と偶数行の画素との間に輝度特性の差が発生しない。それ故、画像をインタレース表示した場合において、ベタ表示を行なってもフリッカが発生しない。
【００１２】
本発明において、前回までの画像表示における前記奇数フィールドの累積実行回数および前記偶数フィールドの累積実行回数を記憶しておき、前記奇数フィールドの累積実行回数と前記偶数フィールドの累積実行回数との差が所定回数以上になったとき、今回あるいは今回以降の画像表示を、累積実行回数が少ない方のフィールドから開始する構成を採用してもよい。このように構成すると、奇数行の画素と偶数行の画素が駆動される回数が均等になるため、奇数行の画素と偶数行の画素とでは微視的な劣化の度合いが等しいので、奇数行の画素と偶数行の画素との間に輝度特性の差が発生しない。それ故、画像をインタレース表示した場合において、ベタ表示を行なってもフリッカが発生しない。
【００１３】
本発明において、１回あるいは複数回の画像表示の度に、画像表示を開始する際のフィールドを前記奇数フィールドと前記偶数フィールドとの間で切り換える構成を採用してもよい。このように構成すると、奇数行の画素と偶数行の画素が駆動される回数が均等になるため、奇数行の画素と偶数行の画素とでは微視的な劣化の度合いが等しいので、奇数行の画素と偶数行の画素との間に輝度特性の差が発生しない。それ故、画像をインタレース表示した場合において、ベタ表示を行なってもフリッカが発生しない。
【００１４】
本発明において、画像表示を終了した際、前記奇数フィールドおよび前記偶数フィールドのうち、いずれのフィールドの何本目の走査線に対する駆動で終了したかを記憶しておき、今回の画像表示を行なう際、前記走査線に対する駆動を、前回の画像表示で終了した走査線の次の走査線に対する駆動から開始することが好ましい。このように構成すると、奇数行の画素と偶数行の画素が駆動される回数が均等になるため、奇数行の画素と偶数行の画素とでは微視的な劣化の度合いが等しいので、奇数行の画素と偶数行の画素との間に輝度特性の差が発生しない。それ故、画像をインタレース表示した場合において、ベタ表示を行なってもフリッカが発生しない。また、奇数行の画素内、および偶数行の画素内でも、駆動される回数が均等になるため、いずれの画素においても微視的な劣化の度合い等しく、いずれの画素でも輝度特性が等しい。それ故、品位の高い画像を表示することができる。
【００１５】
本発明の別の形態では、互いに交差する方向に延在する複数の走査線と複数のデータ線との交差に対応して複数の画素が配列された画像表示部において、前記複数の走査線のうち、奇数本目の走査線を順次駆動する奇数フィールドと、偶数本目の走査線を順次駆動する偶数フィールドとを交互に行なって画像をインタレース表示する電気光学装置の制御方法において、前記奇数フィールドおよび前記偶数フィールドのうち、画像表示を開始した際のフィールドとは反対のフィールドで画像表示を終了することを特徴とする。
【００１６】
本発明では、奇数行の画素と偶数行の画素が駆動される回数が均等になるため、奇数行の画素と偶数行の画素とでは微視的な劣化の度合いが等しいので、奇数行の画素と偶数行の画素との間に輝度特性の差が発生しない。それ故、画像をインタレース表示した場合において、ベタ表示を行なってもフリッカが発生しない。
【００１７】
本発明に係る制御方法は、以下の構成を備えた電気光学装置により実施することができる。すなわち、本発明では、互いに交差する方向に延在する複数の走査線と複数のデータ線との交差に対応して複数の画素が配列された画像表示部において、インタレース制御部からの制御により、前記複数の走査線のうち、奇数本目の走査線を駆動する奇数フィールドと、偶数本目の走査線を駆動する偶数フィールドとを交互に行なって画像をインタレース表示する電気光学装置において、前記インタレース制御部は、前記奇数フィールドの累積実行回数と前記偶数フィールドの累積実行回数との差を圧縮するように、画像表示を開始する際のフィールド、あるいは画像表示を終了する際のフィールドを選択するフィールド選択部を備えていることを特徴とする。
【００１８】
本発明では、奇数行の画素と偶数行の画素が駆動される回数が均等になるため、奇数行の画素と偶数行の画素とでは微視的な劣化の度合いが等しいので、奇数行の画素と偶数行の画素との間に輝度特性の差が発生しない。それ故、画像をインタレース表示した場合において、ベタ表示を行なってもフリッカが発生しない。
【００１９】
本発明を適用した電気光学装置は、例えば、液晶装置あるいは有機ＥＬ装置として構成される。本発明によれば、液晶装置において交流を採用した場合でも画素に印加されるＤＣ成分の累積ストレスなどによって奇数行の画素と偶数行の画素との間に輝度特性の差が発生することを防止できる。また、有機ＥＬ装置においては、通電時間や電流レベルに起因する有機ＥＬ素子への熱的ストレスの累積などによって奇数行の画素と偶数行の画素との間に輝度特性の差が発生することを防止できる。
【００２０】
本発明を適用した電気光学装置は、パーソナルコンピュータ、携帯電話機、投射型表示装置などの電子機器に用いられる。
【発明を実施するための最良の形態】
【００２１】
以下、本発明の実施の形態を説明するが、その前に各実施形態で共通な液晶装置の構成を説明する。なお、画素トランジスタとして用いた薄膜トランジスタでは、印加する電圧によってソースとドレインが入れ替わるが、以下の説明では、説明の便宜上、画素電極が接続されている側をドレインとして説明する。
【００２２】
（本発明を適用した液晶装置の構成）
図１は、本発明を適用した電気光学装置（液晶装置）の電気的な構成を示すブロック図である。図１に示す電気光学装置１００は液晶装置であり、一対の基板（素子基板および対向基板）との間に液晶を保持した構成を有している。かかる電気光学装置１００において、画像表示領域１０には、互いに交差するＸ方向およびＹ方向に延在する複数の走査線３および複数のデータ線６との交差に対応する位置に複数の画素１１が形成されている。複数の画素１１の各々には、画素電極を制御するための画素スイッチング用の薄膜トランジスタ１２（画素トランジスタ）が形成されている。
【００２３】
かかる画像表示領域１０に対しては、素子基板上に形成された駆動回路、素子基板上に実装された駆動用ＩＣなどによって、走査線３に接続された走査線駆動回路（奇数用走査線駆動回路３１および偶数用走査線駆動回路３２）と、データ線６に接続されたデータ線駆動回路４０とが構成されている。データ線６は、薄膜トランジスタ１２のソースに電気的に接続されており、データ線駆動回路４０は、データ線６に画像信号を線順次で供給する。走査線３は、薄膜トランジスタ１２のゲートに電気的に接続されており、走査線駆動回路（奇数用走査線駆動回路３１および偶数用走査線駆動回路３２）は、走査線３に走査信号を線順次で供給する。画素電極は、薄膜トランジスタ１２のドレインに電気的に接続されており、電気光学装置１００では、走査信号によって薄膜トランジスタ１２を一定期間だけそのオン状態とすることにより、データ線６から供給される画像信号を各画素１１の液晶容量１４に所定のタイミングで書き込む。液晶容量１４に書き込まれた所定レベルの画像信号は、画素電極と、対向基板あるいは素子基板に形成された共通電極との間で一定期間保持される。液晶容量１４には、保持容量１３が並列に接続された構成になっている。本形態では、保持容量１３を構成するにあたって、走査線３と並行するように容量線４が形成されているが、前段の走査線３との間に保持容量１３が形成される場合もある。なお、容量線４は通常、共通電位に保持される。
【００２４】
このように構成した電気光学装置１００において、本形態では、画像をインタレース表示する。このため、複数本の走査線３のうち、上から奇数本目の走査線３は、奇数用走査線駆動回路３１に接続され、かかる奇数用走査線駆動回路３１から走査信号が順次供給される。また、上から偶数本目の走査線３は、偶数用走査線駆動回路３２に接続され、かかる偶数用走査線駆動回路３２から走査信号が順次供給される。
【００２５】
奇数用走査線駆動回路３１および偶数用走査線駆動回路３２は各々、インタレース制御部５０の同期制御回路５１から出力される開始パルス（第１の開始パルスＳＰｖ1、第２の開始パルスＳＰｖ2）、およびシフトクロックＣＫｖに基づいて信号を生成するシフトレジスタ３１ａ、３２ａと、シフトレジスタ３１ａ、３２ａから出力された信号に昇圧などを行なって走査線３に走査信号として出力する出力回路３１ｂ、３２ｂとを備えている。かかる出力回路３１ｂ、３２ｂは、レベルシフタ回路やバッファ回路により構成されている。
【００２６】
データ線駆動回路４０は、同期制御回路５１から出力される開始パルスＳＰｈ、およびシフトクロックＣＫｈに基づいて選択パルスを生成するシフトレジスタ４０ａと、サンプルホールド回路４０ｂと、出力回路４０ｃとを備えており、サンプルホールド回路４０ｂは、選択パルスに応答して、画像信号ＲＧＢをサンプリングし保持する。
【００２７】
（インタレース制御部５０の構成）
このように構成した電気光学装置１００において、本形態では、奇数番目の走査線３に対応する画素１１（奇数行の画素１１）と、偶数番目の走査線３に対応する画素１１（偶数行の画素１１）が駆動される回数を均等化することにより、奇数行の画素１１と偶数行の画素１１との間の微視的な劣化度合いを同等とし、フリッカの発生を防止する。そのため、本形態の電気光学装置１００において、インタレース制御部５０は、記憶部５３０を備えたフィールド選択部５３を備えており、フィールド選択部５３は、以下に各実施の形態を説明するように、奇数フィールドが実行された奇数フィールドの累積実行回数と偶数フィールドが実行された偶数フィールドの累積実行回数との差を圧縮するように、画像表示を開始する際のフィールド、あるいは画像表示を終了する際のフィールドを選択する。
【００２８】
なお、以下に説明するいずれの実施の形態でも、外部でのスイッチ操作に基づいて画像表示を開始すべき旨の信号ＯＮ、および外部でのスイッチ操作に基づいて画像表示を終了すべき旨の信号ＯＦＦがインタレース制御部５０に入力され、かかる信号入力に基づいて、画像表示の開始、および画像表示の終了が実行される。また、以下に説明するいずれの実施の形態でも、液晶容量１４に印加される電圧の極性が１フィールド毎に反転するようになっている。
【００２９】
［実施の形態１］
図２は、本発明の実施の形態１に係る電気光学装置の制御方法を示す説明図である。本形態に係る電気光学装置１００において、図１に示すフィールド選択部５３は、画像表示を終了した際、奇数フィールドおよび偶数フィールドのうち、いずれのフィールドで終了したかを記憶部５３０によって記憶しておき、前回の画像表示の際、奇数フィールドで終了したときは、今回の画像表示を偶数フィールドから開始し、前回の画像表示の際、偶数フィールドで終了したときは、今回の画像表示を奇数フィールドから開始する。
【００３０】
より具体的に説明すると、本形態の電気光学装置１００では、図２（ａ）に示すように、まず最初に、外部操作に基づいて表示オンとの信号ＯＮが入力されて画像表示を行なう際、インタレース制御部５０の同期制御回路５１が、奇数用操作線駆動回路３１に第１の開始パルスＳＰｖ1を出力すると、奇数用操作線駆動回路３１から奇数本目の走査線３に対して走査信号が順次出力される。その結果、奇数行の画素１１には順次、データ線６から画像信号が入力され、奇数フィールドが実行される。次に、同期制御回路５１が、偶数用操作線駆動回路３２に第２の開始パルスＳＰｖ2を出力すると、偶数用操作線駆動回路３２から偶数本目の走査線３に対して走査信号が順次出力される。その結果、偶数行の画素１１には順次、データ線６から画像信号が入力され、偶数フィールドが実行される。このようにして１フレーム分の画像が表示される。かかる動作は繰り返し実行され、画像表示領域１０には、画像信号に対応する画像がインタレース表示されることになる。
【００３１】
かかる表示を行なっているうちに、例えば、時刻ｔ11において、表示オフとの信号ＯＦＦが入力されて画像表示を終了する際、同期制御回路５１は、奇数用操作線駆動回路３１に第１の開始パルスＳＰｖ1を出力した後、偶数用操作線駆動回路３２には第２の開始パルスＳＰｖ2を出力しない。このため、奇数フィールドで画像表示が終了する。かかる結果は、記憶部５３０によって記憶される。
【００３２】
その後、表示オンとの信号ＯＮが入力されて再び画像表示を行なう際、記憶部５３０では、前回の画像表示の際、奇数フィールドで終了したと記憶されているので、フィールド選択部５３は、同期制御回路５１に対して、偶数用操作線駆動回路３２に第２の開始パルスＳＰｖ2を出力するように指令する。その結果、今回の画像表示を行なう際は、図２（ｃ）に示すように、偶数フィールドから開始される。それ以降は、奇数フィールドと偶数フィールドとが交互に実行される。
【００３３】
これに対して、例えば、図２（ａ）に示す時刻ｔ12において、表示オフとの信号ＯＦＦが入力されて画像表示を終了する際、同期制御回路５１は、偶数用操作線駆動回路３２に第２の開始パルスＳＰｖ2を出力した後、奇数用操作線駆動回路３１には第１の開始パルスＳＰｖ1を出力しない。このため、偶数フィールドで画像表示が終了する。かかる結果は、記憶部５３０によって記憶される。
【００３４】
その後、表示オンとの信号ＯＮが入力されて再び画像表示を行なう際、記憶部５３０では、前回の画像表示の際、偶数フィールドで終了したと記憶されているので、フィールド選択部５３は、同期制御回路５１に対して、奇数用操作線駆動回路３１に第１の開始パルスＳＰｖ1を出力するように指令する。その結果、今回の画像表示を行なう際は、図２（ｂ）に示すように、奇数フィールドから開始され、それ以降、奇数フィールドと偶数フィールドとが交互に実行される。
【００３５】
かかる動作は、その後も、画像表示の開始および終了が行なわれる度に実行される。このため、それ以降、画像表示が奇数フィールドおよび偶数フィールドのいずれのフィールドで終了した場合でも、奇数フィールドの累積実行回数と偶数フィールドの累積実行回数との差を圧縮することができる。従って、奇数番目の走査線３に対応する画素１１（奇数行の画素１１）と、偶数番目の走査線３に対応する画素１１（偶数行の画素１１）が駆動される回数が均等であるため、奇数行の画素１１と偶数行の画素１１とでは、液晶に対するＤＣ成分の残留電荷などに起因する微視的な劣化の度合いが等しいので、奇数行の画素１１と偶数行の画素１１との間に輝度特性の差が発生しない。それ故、インタレース方式を採用した場合において、ベタ表示を行なったときでもフリッカが発生しない。
【００３６】
［実施の形態２］
図３は、本発明の実施の形態２に係る電気光学装置の制御方法を示す説明図である。実施の形態１では、１回の画像表示を行なう度に、前回の画像表示がいずれのフィールドで終了したかに基づいて今回の画像表示を開始すべきフィールドを選択する構成であったが、本形態では、図１に示すフィールド選択部５３において、前回までの画像表示における奇数フィールドの累積実行回数および偶数フィールドの累積実行回数を記録部５３０で記憶しておき、奇数フィールドの累積実行回数と偶数フィールドの累積実行回数との差が所定の設定値以上になったとき、今回あるいは今回以降の画像表示を、累積実行回数が少ない方のフィールドから開始する。
【００３７】
より具体的に説明すると、本形態の電気光学装置１００では、まず、図３（ａ）に示すように、奇数フィールドから画像表示を開始する。そして、奇数フィールドで画像表示が終了した場合、および偶数フィールドで画像表示が終了した場合のいずれにおいても、次に画像表示を行なう際は、図３（ｂ）に示すように、奇数フィールドから開始する。かかる動作は当分の間、続行される。但し、記録部５３０には、奇数フィールドの累積実行回数および偶数フィールドの累積実行回数、あるいは奇数フィールドの累積実行回数と偶数フィールドの累積実行回数との差が記憶される。
【００３８】
そして、フィールド選択部５３は、画像表示を行なう度に記憶部５３０での記憶内容を確認し、奇数フィールドの累積実行回数と偶数フィールドの累積実行回数との差が設定値以上になるまでは、図３（ｂ）に示すように、画像表示を奇数フィールドから開始する。
【００３９】
これに対して、今回の画像表示を行なう際、記憶部５３０での記憶内容を確認した結果、奇数フィールドの累積実行回数と偶数フィールドの累積実行回数との差が設定値以上になっている場合には、図３（ｃ）に示すように、今回の画像表示は偶数フィールドから開始する。このような偶数フィールドからの画像表示は１回ないし複数回行なわれる。その結果、奇数フィールドの累積実行回数と偶数フィールドの累積実行回数との差が圧縮されることになる。なお、偶数フィールドからの画像表示を設定値に相当する回数を行なえば、奇数フィールドの累積実行回数と偶数フィールドの累積実行回数とが同一である状態に復帰することができる。
【００４０】
このように本形態では、奇数番目の走査線３に対応する画素１１（奇数行の画素１１）と、偶数番目の走査線３に対応する画素１１（偶数行の画素１１）が駆動される回数を均等化するため、奇数行の画素１１と偶数行の画素１１とでは、液晶に対するＤＣ成分の残留電荷などに起因する微視的な劣化の度合いが等しい。それ故、奇数行の画素１１と偶数行の画素１１との間に輝度特性の差が発生しないので、画像をインタレース表示した場合において、ベタ表示を行なってもフリッカが発生しない。
【００４１】
［実施の形態３］
図４は、本発明の実施の形態３に係る電気光学装置の制御方法を示す説明図である。実施の形態１、２では、前回の画像表示がいずれのフィールドで終了したかに基づいて今回の画像表示を開始すべきフィールドを選択する構成であったが、本形態では、図１に示すフィールド選択部５３において、前回あるいは前回までの画像表示において奇数フィールドで終了したか、あるいは偶数フィールドで終了したかにかかわらず、前回の画像表示において、奇数フィールドおよび偶数フィールドのいずれのフィールドから開始したかを記録部５３０で記憶しておき、今回の画像表示を行なう際には、前回の画像表示とは反対のフィールドから開始する。
【００４２】
より具体的に説明すると、本形態の電気光学装置１００では、まず、図４（ａ）に示すように、奇数回目の画像表示の際は、奇数フィールドから開始し、外部から表示オフとの信号ＯＦＦが入力された時点で画像表示を終了する。
【００４３】
そして、今回の表示（偶数回目の画像表示）を行なう際、前回の画像表示が奇数フィールドで終了したか、あるいは偶数フィールドで終了したかにかかわらず、図４（ｂ）に示すように、前回とは反対のフィールド、すなわち、偶数フィールドから画像表示を開始する。
【００４４】
このように構成した場合も、奇数番目の走査線３に対応する画素１１（奇数行の画素１１）と、偶数番目の走査線３に対応する画素１１（偶数行の画素１１）が駆動される回数を均等化することができるため、奇数行の画素１１と偶数行の画素１１とでは、液晶に対するＤＣ成分の残留電荷などに起因する微視的な劣化の度合いが等しい。それ故、奇数行の画素１１と偶数行の画素１１との間に輝度特性の差が発生しないので、画像をインタレース表示した場合において、ベタ表示を行なってもフリッカが発生しない。
【００４５】
［実施の形態４］
図５は、本発明の実施の形態４に係る電気光学装置の制御方法を示す説明図である。実施の形態１〜３では、奇数行の画素１１と偶数行の画素１１との間での駆動回数を均等化する構成であったが、本形態では、さらに、奇数行の画素１１内、および偶数行の画素１１内での各画素１１の駆動回数を均等化する。すなわち、本形態では、図１に示すフィールド選択部５３において、画像表示を終了した際、奇数フィールドおよび偶数フィールドのうち、いずれのフィールドの何本目の走査線３に対する駆動で終了したかを記憶部５３０に記憶しておき、今回の画像表示を行なう際、走査線３に対する駆動を、前回の画像表示で終了した走査線３の次の走査線３に対する駆動から開始する。
【００４６】
より具体的に説明すると、本形態の電気光学装置１００では、例えば、図５（ａ）に示すように、偶数フィールドにおける第２本目の走査線３（画像表示領域１０全体では第４本目の走査線３）で表示を終了した場合、かかる内容を記録部５３０に記録しておく。
【００４７】
そして、今回の画像表示を行なう際は、図５（ｂ）に示すように、偶数フィールドにおける第３本目の走査線３（画像表示領域１０全体では第６本目の走査線３）から画像表示を開始する。このような制御は、図１に示す出力回路３１ｂ、３２ｂのゲート回路を設け、所定の走査線３に走査信号を出力する時間まで走査信号の出力を停止するなどの構成により実現することができる。
【００４８】
かかる動作は、画像表示の終了および開始が行なわれる度に実装される。このため、画像表示が奇数フィールドおよび偶数フィールドのいずれの走査線３で終了した場合でも、奇数フィールドの累積実行回数と偶数フィールドの累積実行回数の差を圧縮することができる。従って、奇数番目の走査線３に対応する画素１１（奇数行の画素１１）と、偶数番目の走査線３に対応する画素１１（偶数行の画素１１）が駆動される回数が均等であるため、奇数行の画素１１と偶数行の画素１１とでは、液晶に対するＤＣ成分の残留電荷などに起因する微視的な劣化の度合いが等しいので、奇数行の画素１１と偶数行の画素１１との間に輝度特性の差が発生しない。それ故、画像をインタレース表示した場合において、ベタ表示を行なってもフリッカが発生しない。
【００４９】
また、奇数行の画素１１内、および偶数行の画素１１内でも、各画素１１における駆動回数が均等になるため、いずれの画素１１においても微視的な劣化の度合い等しく、いずれの画素でも輝度特性が等しい。それ故、本形態によれば、品位の高い画像を表示することができる。
【００５０】
［実施の形態５］
図６は、本発明の実施の形態５に係る電気光学装置の制御方法を示す説明図である。実施の形態１〜４では、画像表示を開始する際のフィールドを制御することにより、奇数行の画素１１と偶数行の画素１１との間での駆動回数を均等化する構成であったが、本形態では、画像表示を終了する際のフィールドを制御することにより、奇数行の画素１１と偶数行の画素１１との間での駆動回数を均等化する。すなわち、本形態では、図１に示すフィールド選択部５３において、画像表示を開始する際のフィールドが奇数フィールドおよび偶数フィールドのいずれに設定されているかを記憶部５３０に記憶しておき、画像表示を終了する際、画像表示を行なう際に開始するフィールドとは反対のフィールドで画像表示を終了する。
【００５１】
より具体的に説明すると、本形態の電気光学装置１００では、図６に示すように、常に、奇数フィールドから画像表示を開始するとともに、時刻ｔ11、および時刻ｔ12のいずれのタイミングで表示オフとの信号ＯＦＦが入力された場合も、偶数フィールドで画像表示を終了する。このため、奇数フィールドの累積実行回数と偶数フィールドの累積実行回数を同一とすることができる。従って、奇数行の画素１１と偶数行の画素１１とでは、液晶に対するＤＣ成分の残留電荷などに起因する微視的な劣化の度合いが等しいので、奇数行の画素１１と偶数行の画素１１との間に輝度特性の差が発生しない。それ故、画像をインタレース表示した場合において、ベタ表示を行なってもフリッカが発生しない。
【００５２】
［有機ＥＬ装置への適用例］
上記実施の形態では、液晶装置に本発明を適用した例であったが、以下に説明する有機ＥＬ装置に本発明を適用してもよい。
【００５３】
図７は、本発明を適用した電気光学装置（液晶装置）の電気的な構成を示すブロック図である。図７に示す電気光学装置１００は、有機ＥＬ装置であり、画像表示領域１０には、複数の走査線３と、走査線３に対して交差する方向に延びる複数のデータ線６と、走査線３に対して並列して延在する複数の電源線７とを有している。また、複数の走査線３と複数のデータ線６との交差に対応する位置に複数の画素１１が配置されている。データ線６にはデータ線駆動回路４０が接続され、走査線３には走査線駆動回路（奇数用走査線駆動回路３１および偶数用走査線駆動回路３２）が接続されている。画像表示領域１０の各々には、走査線３を介して走査信号がゲート電極に供給されるスイッチング用の薄膜トランジスタ１２と、このスイッチング用の薄膜トランジスタ１２を介してデータ線６から供給される画素信号を保持する保持容量１３と、保持容量１３によって保持された画素信号がゲート電極に供給される駆動用の薄膜トランジスタ１６と、この薄膜トランジスタ１６を介して電源線７に電気的に接続したときに電源線７から駆動電流が流れ込む画素電極（陽極層）と、この画素電極と陰極層との間に有機機能層が挟まれた有機ＥＬ素子１５とが構成されている。
【００５４】
かかる構成によれば、走査線３が駆動されてスイッチング用の薄膜トランジスタ１２がオンになると、そのときのデータ線６の電位が保持容量１３に保持され、保持容量１３が保持する電荷に応じて、駆動用の薄膜トランジスタ１６のオン・オフ状態が決まる。そして、駆動用の薄膜トランジスタ１６のチャネルを介して、電源線７から画素電極に電流が流れ、さらに有機機能層を介して対極層に電流が流れる。その結果、有機ＥＬ素子１５は、これを流れる電流量に応じて発光する。
【００５５】
なお、図７に示す構成では、電源線７は走査線３と並列していたが、電源線７がデータ線６に並列している構成を採用してもよい。また、図７に示す構成では、電源線７を利用して保持容量１３を構成していたが、電源線７とは別に容量線を形成し、かかる容量線によって保持容量１３を構成してもよい。
【００５６】
このように構成した電気光学装置１００においても、図１を参照して説明した電気光学装置１００（液晶装置）と同様、画像をインタレース表示する。このため、複数本の走査線３のうち、上から奇数本目の走査線３は、奇数用走査線駆動回路３１に接続され、かかる奇数用走査線駆動回路３１から走査信号が順次供給される。また、上から偶数本目の走査線３は、偶数用走査線駆動回路３２に接続され、かかる偶数用走査線駆動回路３２から走査信号が順次供給される。また、奇数用走査線駆動回路３１および偶数用走査線駆動回路３２は各々、インタレース制御部５０の同期制御回路５１から出力される開始パルス（第１の開始パルスＳＰｖ1、第２の開始パルスＳＰｖ2）、およびシフトクロックＣＫｖに基づいて信号を生成するシフトレジスタ３１ａ、３２ａと、出力回路３１ｂ、３２ｂとを備えている。データ線駆動回路４０は、同期制御回路５１から出力される開始パルスＳＰｈ、およびシフトクロックＣＫｈに基づいて選択パルスを生成するシフトレジスタ４０ａと、サンプルホールド回路４０ｂと、出力回路４０ｃとを備えており、サンプルホールド回路４０ｂは、選択パルスに応答して、画像信号ＲＧＢをサンプリングし保持する。
【００５７】
このように構成した電気光学装置１００においても、図２〜図６を参照して説明した制御方法を採用して、奇数番目の走査線３に対応する画素１１（奇数行の画素１１）と、偶数番目の走査線３に対応する画素１１（偶数行の画素１１）が駆動される回数を均等化する。従って、奇数行の画素１１と偶数行の画素１１との間の微視的な劣化度合いを同等とすることができるので、フリッカの発生を防止することができる。
【００５８】
［電子機器への搭載例］
図８を参照して、上述した電気光学装置１００を搭載した電子機器について説明する。図８（ａ）に、電気光学装置１００を備えたモバイル型のパーソナルコンピュータの構成を示す。パーソナルコンピュータ２０００は、表示ユニットとしての電気光学装置１００と本体部２０１０とを備える。本体部２０１０には、電源スイッチ２００１及びキーボード２００２が設けられている。図８（ｂ）に、電気光学装置１００を備えた携帯電話機の構成を示す。携帯電話機３０００は、複数の操作ボタン３００１及びスクロールボタン３００２、並びに表示ユニットとしての電気光学装置１００を備える。スクロールボタン３００２を操作することによって、電気光学装置１００に表示される画面がスクロールされる。図６（ｃ）に、電気光学装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１００を備える。電源スイッチ４００２を操作すると、住所録やスケジュール帳といった各種の情報が電気光学装置１００に表示される。
【００５９】
なお、電気光学装置１００が搭載される電子機器としては、図８に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１００が適用可能である。
【図面の簡単な説明】
【００６０】
【図１】本発明を適用した電気光学装置（液晶装置）の電気的な構成を示すブロック図である。
【図２】本発明の実施の形態１に係る電気光学装置の制御方法を示す説明図である。
【図３】本発明の実施の形態２に係る電気光学装置の制御方法を示す説明図である。
【図４】本発明の実施の形態３に係る電気光学装置の制御方法を示す説明図である。
【図５】本発明の実施の形態４に係る電気光学装置の制御方法を示す説明図である。
【図６】本発明の実施の形態５に係る電気光学装置の制御方法を示す説明図である。
【図７】本発明を適用した電気光学装置（有機ＥＬ装置）の電気的な構成を示すブロック図である。
【図８】本発明に係る液晶装置を用いた電子機器の説明図である。
【図９】従来の電気光学装置の問題点を示す説明図である。
【符号の説明】
【００６１】
３・・走査線、６・・データ線、１０・・画像表示領域、１１・・画素、３１・・奇数用走査線駆動回路、３２・・偶数用走査線駆動回路、４０・・データ線駆動回路、５０・・インタレース制御部、５１・・同期制御回路、５３・・フィールド選択部、１００・・電気光学装置
【図１】
2009175212.tif 000003
【図２】
2009175212.tif 000004
【図３】
2009175212.tif 000005
【図４】
2009175212.tif 000006
【図５】
2009175212.tif 000007
【図６】
2009175212.tif 000008
【図７】
2009175212.tif 000009
【図８】
2009175212.tif 000010
【図９】
2009175212.tif 000011